(57)【特許請求の範囲】
【請求項１】
本体と蓋と底板とを有し、
前記本体は上部開口および下部開口を有して内側に収納室を形成する閉じた側壁から成り、上端の対向する２つの位置に内面と外面とに通じる切欠き部を有し、
前記蓋は下面の方向に突出する縁部を周囲全体に有し、前記上部開口を開閉可能に被覆し前記縁部により前記切欠き部に通風可能な間隙をあけて前記切欠き部の外側を被覆しており、
前記底板は前記上部開口から取出し可能な大きさを有して前記下部開口に配置され、厚さ方向に貫通した複数の指孔を有することを、
特徴とする墓用前机。
【請求項２】
納骨堂と墓用前机とを有し、
前記納骨堂は上部に納骨用開口を有し内部に納骨室を形成しており、
前記墓用前机は本体と蓋と底板とを有し、
前記本体は、上部開口および下部開口を有して内側に収納室を形成する閉じた側壁から成り、上端の対向する２つの位置に内面と外面とに通じる切欠き部を有し、前記納骨用開口を包囲するようその周囲にコーキング材により気密的に設けられ、
前記蓋は、下面の方向に突出する縁部を周囲全体に有し、前記上部開口を開閉可能に被覆し前記縁部により前記切欠き部に通風可能な間隙をあけて前記切欠き部の外側を被覆しており、
前記底板は、前記上部開口から取出し可能な大きさを有し、前記下部開口に配置されて前記納骨用開口を開閉可能に塞いでおり、厚さ方向に貫通して前記納骨用開口に連通する複数の指孔を有することを、
特徴とする墓。
【発明の詳細な説明】
【０００１】
【発明の属する技術分野】
本発明は、墓用前机および墓に関する。
【０００２】
【従来の技術】
従来の一般的な墓としては、矩形枠状に外柵を設け、外柵内部を納骨堂とし、納骨堂を床板などの床材で塞ぎ、その上に墓石などをのせたものが知られている。
【０００３】
また、従来の墓として、特開２００１−１８２３８１号公報に示すものがある。すなわち、墓石の真下の地面に納骨堂が設けられ、墓石の台座部がその前面に開設された開口部から納骨堂に連通している。その開口部を塞ぐように香炉鉢が配置され、香炉鉢の前面側に開口した収納室を有し、香炉鉢の背面側の壁部に台座部の開口部に連通する骨入れ口が設けられている。
【０００４】
【発明が解決しようとする課題】
しかしながら、従来の一般的な墓では、納骨堂を開けて納骨する際、床材やその上に載っている墓石、骨蓋、花立、香炉、拝石などの石材を移動する必要があった。重い石材を移動するには労力を要するため、一人では納骨ができず、人件費が嵩むという課題があった。また、石材移動の際、石材を落としたりぶつけたりして破損するおそれがあるという課題があった。
【０００５】
特開２００１−１８２３８１号公報に示す墓では、一人で納骨が可能であるが、納骨堂に連通する連通路の開口部が台座部の前面に開設され、連通路が直角に曲がっているため、かなり低い姿勢をとらなければならず、納骨しにくいという課題があった。
【０００６】
本発明は、このような従来の課題に着目してなされたもので、重い石材を移動したり石材を破損したりすることなく、容易に納骨することができる墓用前机および墓を提供することを目的としている。
【０００７】
【課題を解決するための手段】
上記目的を達成するために、本発明に係る墓用前机は、本体と蓋と底板とを有し、前記本体は上部開口および下部開口を有して内側に収納室を形成する閉じた側壁から成り、上端の対向する２つの位置に内面と外面とに通じる切欠き部を有し、前記蓋は下面の方向に突出する縁部を周囲全体に有し、前記上部開口を開閉可能に被覆し前記縁部により前記切欠き部に通風可能な間隙をあけて前記切欠き部の外側を被覆しており、前記底板は前記上部開口から取出し可能な大きさを有して前記下部開口に配置され、厚さ方向に貫通した複数の指孔を有することを、特徴とする。
【０００８】
本発明に係る墓用前机は、蓋を開閉して、収納室の内部に線香や掃除用具などを収納することができる。本発明に係る墓用前机は、石製が好ましいが、他の材質から成っていてもよい。本発明に係る墓用前机は、本体の側壁の周囲や蓋の上部に家紋や模様などが彫り込まれていてもよい。
【０００９】
本発明に係る墓用前机は、好適には、納骨堂の納骨用開口の上に置いて用いられる。このとき、蓋を本体から外し、底板を本体の内部から取り出して、上部開口および下部開口を通して納骨用開口から納骨堂内に骨壺を納骨することができる。納骨後は、本体を通して底板を納骨用開口の上に戻し、本体の上部開口を蓋で塞ぐ。これにより、外部から見て納骨用開口の開け方がわからない状態で納骨堂を塞ぐことができる。また、蓋の縁部が本体の上部開口および切欠き部の外側を被覆しているため、雨などが収納室内に入らず、納骨堂が浸水するのを防ぐことができる。底板の指孔に指を入れて底板を持つことにより、本体からの底板の取出しおよび設置を容易に行うことができる。蓋の縁部と本体の側壁との隙間から切欠き部、収納室および底板の指孔を通して納骨堂が外部と連通しているため、納骨堂内部の通気性が良好で、納骨堂を乾燥した状態に保つことができる。
【００１０】
本発明に係る墓は、納骨堂と墓用前机とを有し、前記納骨堂は上部に納骨用開口を有し内部に納骨室を形成しており、前記墓用前机は本体と蓋と底板とを有し、前記本体は、上部開口および下部開口を有して内側に収納室を形成する閉じた側壁から成り、上端の対向する２つの位置に内面と外面とに通じる切欠き部を有し、前記納骨用開口を包囲するようその周囲にコーキング材により気密的に設けられ、前記蓋は、下面の方向に突出する縁部を周囲全体に有し、前記上部開口を開閉可能に被覆し前記縁部により前記切欠き部に通風可能な間隙をあけて前記切欠き部の外側を被覆しており、前記底板は、前記上部開口から取出し可能な大きさを有し、前記下部開口に配置されて前記納骨用開口を開閉可能に塞いでおり、厚さ方向に貫通して前記納骨用開口に連通する複数の指孔を有することを、特徴とする。
【００１１】
本発明に係る墓では、墓用前机の蓋を本体から外し、底板を本体の内部から取り出して、墓用前机の上部開口および下部開口を通して納骨用開口から納骨堂内に骨壺を納骨することができる。納骨後は、本体を通して底板を納骨用開口の上に戻し、本体の上部開口を蓋で塞ぐ。これにより、外部から見て納骨用開口の開け方がわからない状態で納骨堂を塞ぐことができる。こうして、本発明に係る墓は、床材やその上に載っている墓石、骨蓋、花立などを移動したりこのような石材を破損したりすることなく、容易に納骨することができる。
【００１２】
本発明に係る墓では、墓用前机の本体が納骨用開口を包囲するようにコーキング材により気密的に設けられるため、本体と本体を設置する床との隙間から雨水などが入らず、納骨堂の浸水を防ぐことができる。また、蓋の縁部が本体の上部開口および切欠き部の外側を被覆しているため、雨などが収納室内に入らず、納骨堂が浸水するのを防ぐことができる。
【００１３】
本発明に係る墓では、底板の指孔に指を入れて底板を持つことにより、本体からの底板の取出しおよび設置を容易に行うことができる。本発明に係る墓では、蓋の縁部と本体の側壁との隙間から切欠き部、墓用前机の収納室および底板の指孔を通して納骨堂が外部と連通しているため、納骨堂内部の通気性が良好で、納骨堂を乾燥した状態に保つことができる。
【００１４】
【発明の実施の形態】
以下、図面に基づき、本発明の実施の形態について説明する。
図１乃至図５は、本発明の実施の形態を示している。
図３および図４に示すように、墓１は、納骨堂２と、墓用前机３とを有している。墓１は、その他、床材４、下台５、中台６、上台７、棹８、香炉９などを有している。墓１の構成部材は、すべて石材から成っている。
【００１５】
図３および図４に示すように、納骨堂２は、側壁２１、底部２２および床材４により地面の下で函形に形成されている。床材４の上には、下台５が載せられている。納骨堂２は、上部の床材４および下台５に納骨用開口２３を有し、内部に納骨室２４を形成している。納骨用開口２３は、矩形状の断面を有している。床材４および下台５の納骨用開口２３は、互いに大きさが一致して連通している。納骨用開口２３は、骨壺を両手で持って納骨室２４に収容することができる程度の大きさを有している。
【００１６】
図１および図２に示すように、墓用前机３は、本体３１と、蓋３２と、底板３３とを有している。本体３１は、横断面が矩形の枠状であって、閉じた側壁から成っている。本体３１は、上部開口３１ａおよび下部開口３１ｂを有している。上部開口３１ａおよび下部開口３１ｂは、納骨用開口２３よりも大きくなっている。本体３１は、矩形の長辺を含む面の一方を正面側とし、内側に収納室３４を形成している。
【００１７】
本体３１の外面は、正面と左右両側面が凹状に湾曲しており、背面が平面となっている。本体３１の外面には、家紋や文字などを彫り込んであってもよい。本体３１は、外面の下端周囲に段状の突出部３１ｃを有している。本体３１は、背面の上端の外面側が内面側より段差をなして低くなり、内面側に段部３１ｄを有している。
【００１８】
図３および図４に示すように、本体３１は、納骨用開口２３を包囲するようその周囲に設置されている。本体３１の周囲と下台５との境界部は、コーキング材により目地詰めして隙間ができないよう気密的に塞がれている。コーキング材には、シリコン樹脂系のものが用いられる。
【００１９】
図１および図２に示すように、蓋３２は、矩形の平板状である。蓋３２は、下面の方向に突出する縁部３２ａを周囲全体に有している。蓋３２は、上面に家紋や文字などが彫り込まれていてもよい。蓋３２は、本体３１の上端の上に載り、上部開口３１ａを開閉可能に被覆している。蓋３２の背面側の縁部３２ａは、本体３１の背面の段部３１ｄと係合し、墓用前机３の背面は平坦になっている。
【００２０】
底板３３は、下部開口３１ｂより若干小さい矩形の平板状であって、上部開口３１ａから取出し可能となっている。底板３３は、下部開口３１ｂに配置され、納骨用開口２３の周囲の上で支持されている。底板３３は、納骨用開口２３を開閉可能に塞いでいる。底板３３は、４つの指孔３３ａを有している。各指孔３３ａは、底板３３の両端側に２つずつ設けられ、底板３３の厚さ方向に貫通している。底板３３が納骨用開口２３を塞いでいるとき、各指孔３３ａは、納骨用開口２３の周囲により塞がれ、納骨室２４の内部に連通しないようになっている。
【００２１】
図３および図４に示すように、床材４は、納骨堂２およびその周囲を覆っている。下台５は、床材４の上で納骨堂２の上方に配置されている。中台６は下台５の上に配置され、上台７は中台６の上に配置され、棹８は上台７の上に配置されている。墓用前机３は、下台５の上で中台６の前の納骨用開口２３の周囲に配置されている。香炉９は、床材４の上で下台５および墓用前机３の前に配置されている。
【００２２】
次に、作用について説明する。
墓１に納骨するとき、墓用前机３の蓋３２を本体３１から外し、底板３３を本体３１の内部から取り出す。このとき、底板３３の指孔３３ａに指を入れて底板３３を持つことにより、本体３１からの底板３３の取出しおよび設置を容易に行うことができる。底板３３を本体３１から取り出すことにより、墓用前机３の上部開口３１ａおよび下部開口３１ｂを通して、納骨用開口２３から納骨堂２内に骨壺を納骨することができる。納骨後は、本体３１を通して底板３３を納骨用開口２３の上に戻し、本体３１の上部開口３１ａを蓋３２で塞ぐ。これにより、外部から見て納骨用開口２３の開け方がわからない状態で納骨堂２を塞ぐことができる。
【００２３】
墓１の構成部材は、石材から成っており、例えば花立は１０〜１５ｋｇ、香炉９は１５〜２０ｋｇ、拝石は３０〜４０ｋｇ程度の重量を有している。従来の一般的な墓の場合、納骨する際、このように重い石材を移動する必要があったため、一人では納骨ができず、人件費が嵩むうえ、石材移動の際に、石材を落としたりぶつけたりして破損するおそれがあった。本実施の形態の墓１では、墓用前机３の上部開口３１ａから納骨することができるため、重い石材を移動したり石材を破損したりすることなく、容易に納骨することができる。
【００２４】
墓１は、墓用前机３の本体３１が納骨用開口２３を包囲するようにコーキング材により気密的に設けられているため、本体３１と本体３１を設置する下台５との隙間から雨水や雪解け水などが入らず、納骨堂２の浸水を防ぐことができる。また、蓋３２の縁部３２ａが本体３１の上部開口３１ａの外側を被覆しているため、雨などが収納室３４内に入らず、納骨堂２が浸水するのを防ぐことができる。墓用前机３には、蓋３２を開閉して、収納室３４の内部に線香や掃除用具などを収納することができる。
【００２５】
なお、図５に示すように、墓用前机３の本体３１に切欠き部３１ｅを設け、底板３３の指孔３３ａを納骨用開口２３に連通させて、蓋３２の縁部３２ａと本体３１の側壁との隙間から切欠き部３１ｅ、墓用前机３の収納室３４および底板３３の指孔３３ａを通して納骨堂２が外部と連通するようにしてもよい。この場合、切欠き部３１ｅは、墓用前机３の本体３１の左右両側面の上端の対向する２つの位置に溝状に形成される。各切欠き部３１ｅは、本体３１の内面と外面とに通じている。蓋３２の縁部３２ａは、２つの切欠き部３１ｅに通風可能な間隙をあけて、切欠き部３１ｅの外側を被覆している。底板３３の各指孔３３ａは、底板３３の厚さ方向に貫通して納骨用開口２３に連通している。
【００２６】
この図５に示す構成では、蓋３２の縁部３２ａが本体３１の上部開口３１ａおよび切欠き部３１ｅの外側を被覆しているため、雨などが収納室３４内に入らず、納骨堂２が浸水するのを防ぐことができる。また、墓１は、蓋３２の縁部３２ａと本体３１の側壁との隙間から切欠き部３１ｅ、墓用前机３の収納室３４および底板３３の指孔３３ａを通して納骨堂２が外部と連通しているため、納骨堂２内部の通気性が良好で、納骨堂２を乾燥した状態に保つことができる。
【００２７】
納骨用開口２３は、納骨室２４の位置や墓１の構成により、床材４のみに設けられても、床材４と拝石とに設けられてもよい。墓用前机３は、納骨用開口２３の位置に応じて、香炉９の前に配置してもよい。
【００２８】
【発明の効果】
本発明によれば、重い石材を移動したり石材を破損したりすることなく、容易に納骨することができる墓用前机および墓を提供することができる。
【図面の簡単な説明】
【図１】本発明の実施の形態の墓用前机を示す（ａ）平面図、（ｂ）正面図、（ｃ）底面図、（ｄ）左側面図、（ｅ）右側面図、（ｆ）背面図である。
【図２】図１に示す墓用前机の（ａ）Ａ−Ａ断面図、（ｂ）Ｂ−Ｂ断面図である。
【図３】本発明の実施の形態の墓の正面を示す縦断面図である。
【図４】図３に示す墓の側面を示す縦断面図である。
【図５】図１に示す墓用前机の変形例を示す（ａ）Ａ−Ａ断面図、（ｂ）Ｂ−Ｂ断面図である。
【符号の説明】
１  墓
２  納骨堂
３  墓用前机
４  床材
５  下台
６  中台
７  上台
８  棹
９  香炉
２３  納骨用開口
２４  納骨室
３１  本体
３１ａ  上部開口
３１ｂ  下部開口
３１ｃ  突出部
３１ｄ  段部
３１ｅ  切欠き部
３２  蓋
３２ａ  縁部
３３  底板
３３ａ  指孔
３４  収納室
【図１】
0003728735.tif 000002
【図２】
0003728735.tif 000003
【図３】
0003728735.tif 000004
【図４】
0003728735.tif 000005
【図５】
0003728735.tif 000006